(57)【要約】【課題】制御装置の小型化と低コスト化が可能なカラオケ装置を提供すること。【解決手段】楽曲記憶機能とカラオケ制御機能と通信機能を備えたカラオケ運用ソフトを内蔵した制御手段１と、この制御手段１に接続されて前記カラオケ運用ソフトの各機能の内容を表示可能な表示手段２とを有し、前記カラオケ運用ソフトがコンピュータプログラム化されているカラオケ装置。【選択図】図１
2005331676.tif 000002
【特許請求の範囲】
【請求項１】
楽曲記憶機能とカラオケ制御機能と通信機能とを備えたカラオケ運用ソフトを内蔵した制御手段と、この制御手段に接続されて前記カラオケ運用ソフトの各機能の内容を表示可能な表示手段とを有し、前記カラオケ運用ソフトがコンピュータプログラム化されているカラオケ装置。
【発明の詳細な説明】
【技術分野】
【０００１】
本発明は、カラオケ装置に関する。
【背景技術】
【０００２】
従来より、ユーザによって入力された曲番号に対応する楽曲データ中の情報に従って音源が楽音信号を生成し、この楽音信号にマイクから入力された音声信号をアンプで増幅しミキシングして出力するとともに、上記楽曲データ中の情報に従って、当該楽曲の歌詞をディスプレイ装置上に表示するカラオケ装置が普及している。
【０００３】
このような従来のカラオケ装置は、音声信号の増幅を行うアンプ機能や音量調整機能等を備えたカラオケ運用装置（制御装置）と、この制御装置に接続された表示装置とを有している。例えば、制御装置はミキシングアンプを備えており、このミキシングアンプにはボリュームが設けられており、歌唱音声、演奏音の音量や音質、エコーの大きさなどを自分の好みにあうように調整することができるようになっている（例えば特許文献１参照）。
【０００４】
このように従来のカラオケ装置における制御装置では、その各機能を担うハード装置を個々に備える必要があり、表示装置とは別途に設置する必要があった。そのため、とくに大画面の表示装置を使用したい場合には、その設置スペースの問題が生じ、また、コストが高くなるという問題もあった。
【特許文献１】特開平１１−１７５０７８号公報
【発明の開示】
【発明が解決しようとする課題】
【０００５】
本発明が解決しようとする課題は、制御装置の小型化と低コスト化が可能なカラオケ装置を提供することにある。
【課題を解決するための手段】
【０００６】
本発明のカラオケ装置は、楽曲記憶機能とカラオケ制御機能と通信機能とを備えたカラオケ運用ソフトを内蔵した制御手段と、この制御手段に接続されて前記カラオケ運用ソフトの各機能の内容を表示可能な表示手段とを有し、前記カラオケ運用ソフトがコンピュータプログラム化されていることを特徴とするものである。
【発明の効果】
【０００７】
本発明では、制御手段にコンピュータプログラム化されたカラオケ運用ソフトを内蔵しているので、従来のカラオケ装置のようにアンプ等のハード装置を個別に設置する必要がなく、表示手段と一体化することも可能となる。したがって、カラオケ装置の小型化と低コスト化が可能となる。
【０００８】
また、本発明ではカラオケ運用ソフトがコンピュータプログラム化されているので、そのメンテナンスはコンピュータプログラムを書き換えるだけで済むので、メンテナンス作業が容易であり、さらに、通信機能を使えばインターネット等を介して遠隔地からの集中メンテナンスと監視を行うことができる。
【発明を実施するための最良の形態】
【０００９】
以下、図面に示す実施例に基づき本発明の実施の形態を説明する。
【００１０】
図１は、本発明のカラオケ装置の構成図である。同図に示す本発明のカラオケ装置は、カラオケ運用ソフトを内蔵しカラオケ装置を制御する制御手段１を有し、この制御手段１には、カラオケ運用ソフトの各機能の内容を表示可能な表示手段２と、制御手段１からの音声信号を出力可能な音声出力手段３が接続されている。
【００１１】
制御手段１は、コンピュータのＣＰＵ、メモリ、通信ボード等を備えたコンピュータ本体から構成することができ、表示手段２とはコンピュータディスプレイの場合と同様に、ＵＳＢコードやＲＧＢコードによって接続する。接続する表示手段２としては、大型のプラズマディスプレイや液晶ディスプレイを使用することができる。また、音声出力手段３としては、通常のスピーカを使用することができる。この音声出力手段３からは、デジタル化された音声信号が出力される。
【００１２】
制御手段１に内蔵されているカラオケ運用ソフトは全てコンピュータプログラム化されており、後述するように通信機能等を有している。制御手段１は、この通信機能によりインターネットと接続可能である。また、制御手段１は、赤外線方式や無線方式のワイヤレスリモコンによって操作可能である。
【００１３】
図２は、制御手段１に内蔵されているカラオケ運用ソフトの機能構成を示す。同図に示すように、カラオケ運用ソフトは、予め数万曲程度の楽曲を記憶する楽曲記憶機能と、カラオケ演奏を制御するカラオケ制御機能と、インターネットへの接続を可能とする通信機能とを有し、各機能がコンピュータプログラム化されている。このうち、カラオケ制御機能は、カラオケ演奏する楽曲を選曲する選曲機能と、曲目を記憶するメモリ機能と、カラオケ演奏全般を調整する調整機能を備えている。また、通信機能により、インターネットを介して、新曲をダウンロードして蓄積することができる。
【００１４】
上述のカラオケ運用ソフトの各機能は、制御プログラムによって総括的に制御されており、各機能の実行状況等の内容が図１に示した表示手段２に表示されるようになっている。例えば選曲機能が実行されるときには、選曲された楽曲がメモリから検索されてスタートするが、この選曲機能の実行と併せて必要な他の機能も実行されるように制御プログラムによって制御される。また、制御プログラムにＡＩ（人工知能）機能を持たすこともでき、例えばプロのスタジオミキサーマンが調整した最適な音量、音質、エコー等を記憶させておき、それに基づいてカラオケ演奏時に自動的に音量、音質、エコー等を調節するようにすることもできる。
【００１５】
制御プログラムは、各機能の実行状況等を表示手段２に表示する際の画面デザインも制御する。図３は、表示手段の表示画面例を示す。図３（ａ）は、制御手段１によって音量等を調整しているときの表示画面例であり、マイクマスター音量、ミュージック音量、エコーの調整内容を示す画面が現れている。そのほかにもイコライザーや予約曲や採点数が表示されている。なお、図３において制御手段１は表示手段２の背面側に配置され、その一部が表示手段２の下方に位置して前面に露出している。この露出部分にはワイヤレスリモコン（図示せず）と通信するための赤外線送受信部１ａが配置されている。
【００１６】
制御手段１による音量等の調整が完了すると、上述のカラオケ運用ソフトの制御プログラムにより、表示手段２の表示画面は図３（ｂ）に示すように、カラオケ画面が全面に表示される。これらの表示手段２の表示パターンは上記制御プログラムの変更により任意に変更することができる。
【００１７】
以上のとおり、本発明では、カラオケ運用ソフトを全てコンピュータプログラム化しているので、従来のカラオケ装置のようにアンプ等のハード装置を個別に設置する必要がなく、例えば、図３に示したように、制御手段１を表示手段２の背面に配置できる程度の大きさとすることができ、スペースを節約できるとともに、コストも節減できる。さらに、カラオケ運用ソフトはＩＣチップ化することも可能であり、その場合、表示手段２に埋め込んで一体化することもできる。
【００１８】
さらに、カラオケ運用ソフトはコンピュータプログラム化されており、通信機能を備えているので、インターネットを介して書き換えや修復が可能であり、インターネットを介して遠隔地からの集中メンテナンスと監視を行うこともできる。加えて、制御手段をサーバーとして、カラオケ店内の複数のカラオケ装置を一括して制御するようにすることもできる。
【図面の簡単な説明】
【００１９】
【図１】本発明のカラオケ装置の構成図である。
【図２】制御手段に内蔵されているカラオケ運用ソフトの機能構成を示す。
【図３】表示手段の表示画面例を示す。
【符号の説明】
【００２０】
１  制御手段
１ａ  赤外線送受信部
２  表示手段
３  音声出力手段
【図１】
2005331676.tif 000003
【図２】
2005331676.tif 000004
【図３】
2005331676.tif 000005